(57)【要約】      （修正有）【課題】所有する布団本体を、その布団本体サイズより大きいサイズの布団としても利用可能とする布団カバーを提供する。【解決手段】ひとつ又は複数の拡張部３は、中綿４を含み、布団本体を覆うための上側地１及び下側地２の一方又は両方の端部付近に、布団本体の上下左右の４方のいずれかひとつ又は複数、布団本体のサイズを超える領域に設けられる。ひとつ又は複数の装着部５により、拡張部３に布団本体の端部の一部が重なるように（又は重ならないように）、布団本体を装着する。拡張部３により、布団本体と重なる領域が存在することで、部分的な保温や保湿効果の下降を抑えることが可能となり、布団本体と重ならない領域が存在することで、装着する布団本体サイズとは異なるサイズの布団として利用出来る。【選択図】図２
2015146845.tif 000002
【特許請求の範囲】
【請求項１】
布団本体の表面を覆うための上側地と、
前記布団本体の裏面を覆うための下側地と、
前記上側地及び前記下側地の一方又は両方の端部付近に、前記布団本体の上下左右の４方のいずれかひとつ又は複数、前記布団本体のサイズを超える領域に設けられ、中綿を含む、ひとつ又は複数の拡張部と、
前記拡張部に前記布団本体のひとつ又は複数の端部の一部が重なるように又は重ならないように、前記布団本体を装着するための、前記上側地及び前記下側地の前記布団本体の端部付近に設けられたひとつ又は複数の装着部と、
を備えた布団カバー。
【請求項２】
請求項１に記載の布団カバーにおいて、
前記拡張部は、前記上側地及び／又は前記下側地と、一体に又は連続して又は別部として形成されたことを特徴とする布団カバー。
【請求項３】
請求項１又は２に記載の布団カバーにおいて、
前記上側地の前記拡張部又は前記下側地の前記拡張部の一方は前記布団本体と重なるように、他方は前記布団本体と重ならないように、前記拡張部を設けたことを特徴とする布団カバー。
【請求項４】
請求項１乃至３のいずれかに記載の布団カバーにおいて、
前記拡張部は、前記上側地と前記下側地の間に前記中綿を含み、
前記装着部は、前記上側地及び前記下側地の間の前記拡張部の内側に、前記布団本体を固定するためのヘム又はマチを有することを特徴とする布団カバー。
【請求項５】
請求項１乃至４のいずれかに記載の布団カバーにおいて、
前記拡張部の縁、又は、前記拡張部の設けられていない前記上側地及び前記下側地の縁に、前記布団本体を出し入れするための開口部をさらに備えたことを特徴とする布団カバー。
【請求項６】
請求項１乃至５のいずれかに記載の布団カバーにおいて、
前記上側地及び／又は前記下側地とともに、それぞれ前記中綿を覆う上内地又は下内地を有することを特徴とする布団カバー。
【請求項７】
請求項６に記載の布団カバーにおいて、
前記上側地と前記中綿と前記上内地、及び／又は、前記下側地と前記中綿と前記下内地を、縫付けるためのキルトを備えたことを特徴とする布団カバー。
【請求項８】
請求項１乃至７のいずれかに記載の布団カバーにおいて、
前記装着部は、前記布団本体の４辺のいずれかひとつ又は複数の端部付近において、前記上側地及び前記下側地の前記拡張部の布団カバー中心側のひとつ又は複数の辺の位置に、前記上側地及び前記下側地、又は、両方の前記拡張部に、ひとつ又は複数の組設けられたことを特徴とする布団カバー。
【請求項９】
請求項１乃至８のいずれかに記載の布団カバーにおいて、
円形又は他の形状であり、布団カバーの形状と布団本体のサイズ・形状にあわせて、前記拡張部を形成したことを特徴とする布団カバー。
【請求項１０】
請求項１乃至９のいずれかに記載の布団カバーにおいて、
前記中綿を詰めるための袋をさらに備え、前記拡張部の内部に該袋を含めるようにしたことを特徴とする布団カバー。
【発明の詳細な説明】
【技術分野】
【０００１】
本発明は、布団カバーに関する。
【背景技術】
【０００２】
従来技術として、特許文献１には、「少なくとも掛布団カバーの横幅と略同幅の横幅を有するシート状のカバー体の縦幅を、掛布団カバーの縦幅よりも長く設定して、このカバー体は、掛布団カバーの裏側に配した際に掛布団カバーの裏側の下端から上端までを覆い得るように構成すると共に、この際、掛布団カバーに対するカバー体の余剰部分を掛布団カバーの上端からこの掛布団カバーの表側の襟元部分に折り返し表出することで襟カバー部として配置し得るように構成」（請求項１）した寝具カバーが記載されている。
【０００３】
また、特許文献２には、「掛け布団本体と、この掛け布団本体の下面に着脱自在に積層される他の掛け布団本体と、」（請求項１）を備え、「掛け布団本体の両側部に対し、着脱自在に取り付けられる一対の補助布団片を備え、この一対の補助布団片の長手方向の長さは掛け布団本体の長手方向の長さと略同一となっていることを特徴とする」（請求項３）掛け布団が記載されている。
【先行技術文献】
【特許文献】
【０００４】
【特許文献１】特開２００５−３２９１２３号公報
【特許文献２】特開２００５−３１９０７０号公報
【発明の概要】
【発明が解決しようとする課題】
【０００５】
しかしながら、従来の技術では、所有する布団本体のサイズに対して、不満や形状変更・仕様変更・サイズ変更の要望（例えば、小さい・短い・巾が狭いサイズを、大きい・長い・巾が広いサイズにしたい等）がある場合、或いは、所有する「就寝用布団」の規格サイズの変更・形状変更・仕様変更の要望等（例えば、普通の寝具用掛け布団を「こたつ布団」として利用したい等）がある場合、或いは、布団本体を購入の際に同一の布団本体を別サイズでも利用可能とする要望がある場合などが想定される。
しかしながら、従来の布団カバーは、通常予め規格サイズが決められており、また、規格サイズ以外を特注で購入することは可能であるが、サイズを変更して使用したい等という上述のような要望に対応可能な布団カバーはなかった。
【０００６】
本発明は、以上の点に鑑み、所有する布団本体を、その布団本体サイズより大きいサイズの布団としても利用可能とする布団カバーを提供することを目的とする。
【課題を解決するための手段】
【０００７】
本発明の解決手段によると、
布団本体の表面を覆うための上側地と、
前記布団本体の裏面を覆うための下側地と、
前記上側地及び前記下側地の一方又は両方の端部付近に、前記布団本体の上下左右の４方のいずれかひとつ又は複数、前記布団本体のサイズを超える領域に設けられ、中綿を含む、ひとつ又は複数の拡張部と、
前記拡張部に前記布団本体のひとつ又は複数の端部の一部が重なるように又は重ならないように、前記布団本体を装着するための、前記上側地及び前記下側地の前記布団本体の端部付近に設けられたひとつ又は複数の装着部と、
を備えた布団カバーが提供される。
【発明の効果】
【０００８】
本発明によると、所有する布団本体を、その布団本体サイズより大きいサイズの布団としても利用可能とすることができる。
【図面の簡単な説明】
【０００９】
【図１】本実施の形態に係る布団カバーの平面図。
【図２】本実施の形態に係る布団カバーの断面図。
【図３】第１の実施の形態に係る布団カバーの使用説明図。
【図４】第２の実施の形態に係る布団カバーの使用説明図。
【図５】第３の実施の形態に係る布団カバーの使用説明図。
【図６】第４の実施の形態に係る布団カバーの使用説明図。
【図７】第５の実施の形態に係る布団カバーの使用説明図。
【図８】一方の端部に拡張部を設けた例の平面図。
【図９】３方の端部に拡張部を設けた例の平面図。
【図１０】４方の端部に拡張部を設けた例の平面図。
【図１１】円形の布団カバーとするために４方の端部に拡張部を設けた例の平面図。
【図１２】想定される布団本体サイズ、布団カバーにより変更されるサイズ、及び、規格サイズの対応についての説明図。
【図１３】本体ダブル１９０ｘ２１０ｃｍをクイーンサイズ２１０ｘ２１０ｃｍに拡大するカバーの説明図。
【図１４】拡張部の形成についての説明図。
【図１５】開口部の説明図。
【図１６】布団カバーの実例の図。
【図１７】布団カバー内部及び装着部等の説明図（１）。
【図１８】布団カバー内部及び装着部等の説明図（２）。
【発明を実施するための形態】
【００１０】
１．概要
本発明及び本実施の形態によると、特に、布団本体の１辺或いは２辺、３辺、四方の端部付近に、中綿（羽毛又は合繊、羊毛等）を入れた部分（拡張部）を設けた「布団カバー」が提案される。布団本体の端部付近に関しては上部及び下部の両方（サンドイッチ構造）、或いは上部のみ、或いは下部のみ、中綿が入った部分（拡張部のうち布団本体の中心側）を備える。布団本体サイズ（幅及び／又は長さ等）を超える部分についても、布団カバーに中綿が入った部分（拡張部のうち布団本体の縁側）が存在する。なお、拡張部のうち布団本体の中心側は、布団本体と重ならないようにしてもよい。布団カバーでは、布団本体をある程度固定（装着、支持）する必要があり、そのために布団本体４隅及び／又は各辺中央部分周辺において、布団カバーにホックや紐等の装着部を用意し固定（装着、支持）を図る。
以下、図面を参照して、本実施の形態について説明する。
【００１１】
２．布団カバー
図１に、本実施の形態に係る布団カバーの平面図を示す。
図２に、本実施の形態に係る布団カバーの断面図（図１中Ｘ−Ｘ’断面）を示す。
また、図３に、布団カバーの使用説明図を示す。
【００１２】
布団カバー１００は、上側地１と、下側地２と、拡張部３を備える。
上側地１は、布団本体１０の表面を覆うため、下側地２は、布団本体１０の裏面を覆うために設けられている。
拡張部３は、上側地１及び下側地２の一方又は両方の端部付近に設けられ、布団本体１０の上下左右の４方のいずれかひとつ又は複数付近に、布団本体１０のサイズを超える領域に設けられる。拡張部３は、内部に、羽毛、化学素材（合繊等）、天然素材（水鳥羽毛、羊毛、キャメル、シルク等）等による中綿４を含む。拡張部３は、上側地１及び／又は下側地２とともにそれぞれ中綿４を覆うための上内地８及び／又は下内地９を有する。拡張部３は、上側地１と下側地２の両方に設けてもよいし、上側地１のみ又は下側地２のみに設けてもよい。この例では、拡張部３は、左右２方の端部に設けられている。なお、上側地１の拡張部３と下側地２の拡張部３の両方の領域Ａが布団本体１０と重なるようにしてもよいし、上側地１の拡張部３と下側地２の拡張部３の一方のみが領域Ａと領域Ｂを備えてその領域Ａが布団本体１０と重なり、他方の拡張部３は領域Ａがなく領域Ｂのみ備えて布団本体１０と重ならないようにしてもよい（後述参照）。
拡張部３は、領域Ａ（上側地１又は下側地２の両方或いはどちらか一方）が存在することにより、部分的な保温や保湿効果の下降を抑えることが可能となる。そして、領域Ｂが存在することにより、装着する布団本体サイズとは異なるサイズの布団として利用出来る。なお、図２中、ａの部分は、上側地１の拡張部３と下側地２の拡張部３とを結合或いは分離する。図２中、ｂの部分は、通常布団カバーと同じく綿の無い生地のみ部分（上側地１と下側地２）とする。
【００１３】
また、装着部５は、拡張部３に布団本体１０のひとつ又は複数の端部の一部（領域Ａ）が重なるように又は重ならないように、布団本体１０がずれにくいように支持、固定、サポート等を行い装着するための、上側地１及び下側地２の布団本体１０の端部付近にひとつ又は複数設けられる。図１〜３では、装着部５の一例として、紐を用いている。
【００１４】
さらに、キルト６を設けることで、上側地１と中綿４と上内地８、及び／又は、下側地２と中綿４と下内地９を、縫付けるようにしてもよい。
【００１５】
布団カバー１００は、拡張部３の縁、又は、拡張部３の設けられていない上側地１又は下側地２の縁に、布団本体１０を出し入れするための開口部７を備える。
【００１６】
本実施の形態の布団カバー１００により、布団本体１０のサイズより大きいサイズの布団として利用出来る。なお、図では一例として、ダブルサイズ巾（１９０ｃｍ巾）の布団カバー１００により、シングルサイズ巾（１５０ｃｍ）巾）の布団本体１０を、ダブルサイズ巾（１９０ｃｍ巾）の布団として利用する場合を示している。布団本体１０のサイズは、例えば、シングル、ダブル、クイーン、キング又は他の規格サイズであり、布団カバー１００のサイズは、布団本体１０より大きい、ダブル、クイーン、キング又は他の規格サイズ、又はこたつ若しくは他の用途の形状とすることができる。
【００１７】
図４に、第２の実施の形態に係る布団カバーの使用説明図を示す。
この実施の形態は、上側部１（又は下側部２）のみに拡張部３を備えるようにしたものである。
【００１８】
図５に、第３の実施の形態に係る布団カバーの使用説明図を示す。
この実施の形態では、拡張部３は、布団本体１０と重ならない領域Ｂのみを有するようにしたものである。
【００１９】
図６に、第４の実施の形態に係る布団カバーの使用説明図を示す。
この実施の形態では、拡張部３は、上側部１（又は下側部２）の一方に布団本体１０と重なるように領域Ａと領域Ｂを有し、他方に布団本体１０と重ならない領域Ｂのみを有するようにしたものである。
【００２０】
図７に、第５の実施の形態に係る布団カバーの使用説明図を示す。
この実施の形態は、拡張部３は、上側地１の拡張部と下側地２の拡張部が一体に構成され、上側地１と下側地２の間に設けられた中綿４が一体となっているものである。この場合、装着部として布団本体を装着・支持するために、上側地１と下側地２の内側にマチを設けるようにしてもよいし、上側地１と下側地２の内側の布団本体の端部付近を縫い合わせたり、適宜の結合手段により結合するようにしてもよい。また、中綿４を袋にいれて内部に装着するようにしてもよい。
【００２１】
図８〜図１１に、布団カバーの拡張部の構成についての変形例の平面図を示す。
図８は一辺の端部に拡張部３を設けた例、図９は３方の端部に拡張部３を設けた例、図１０は４方の端部に拡張部３を設けた例をそれぞれ示す。また、図１１は、他の形状の布団として円形の布団カバーとするために４方の端部に拡張部３を設けた例を示す。この場合、布団カバーの形状と、布団本体のサイズ・形状にあわせて、拡張部３を形成する。なお、拡張部３を設ける位置は、上下左右に適宜変更可能である。上述の各実施の形態の断面図又は使用説明図に示した構成と、これら各平面図に示した構成を適宜組み合わせて実施することができる。
【００２２】
図１２に、想定される布団本体サイズ、布団カバーにより変更されるサイズ、及び、規格サイズの対応についての説明図を示す。
「カバーにより変更されるサイズ」と「想定される布団本体サイズ」との差分に相当する拡張部３を備えた「カバーにより変更されるサイズ」の布団カバー１００により、所有する布団を所望の想定される布団本体サイズとして使用することができる。
例えば、布団本体シングルサイズ１５０ｘ２１０ｃｍをダブルサイズに１９０ｘ２１０ｃｍに拡大するカバーの場合、拡張部３は２つの辺（両端部）に設けられ、その差分の幅２０ｃｍの図２等に示した領域Ｂの長さと、布団本体１０と重なる部分の幅（例えば、２０ｃｍ等）の図２等に示した領域Ａとの合計の長さとすることができる。重なる領域Ａ及び重ならない領域Ｂの長さは、適宜定めることができる。
【００２３】
また、図１３に、本体ダブル１９０ｘ２１０ｃｍをクイーンサイズ２１０ｘ２１０ｃｍに拡大するカバーの説明図を示す。
この場合、たとえば、布団本体１０を縦と横を入れ替えて利用し、拡張部３は１つの辺（下端部）に設けられ、その差分の幅２０ｃｍの領域Ｂの長さと、布団本体１０と重なる部分の幅（例えば、１０ｃｍ等）の領域Ａとの合計の長さとすることができる。
【００２４】
本実施の形態の布団カバーにより、本体サイズと異なるサイズにて布団を利用することが可能となる。
本発明及び本実施の形態は、掛け布団カバー以外にも、敷き布団カバーや様々な布団カバーに、適用することができる。
【００２５】
３．各部の詳細構成
（拡張部）
図１４に、拡張部の形成についての説明図を示す。
拡張部３は、例えば、上側地１及び／又は下側地２と、一体に又は連続して又は別部として形成することができる。
拡張部３の形成としては、例えば、図１４（ａ）のように、上側地（又は下側地）１１として拡張部３まで伸びた生地を用い、中綿４を覆い、内地３１を上側地（又は下側地）１１に縫製することで、形成することができる。
また、例えば、図１４（ｂ）のように、表面の生地３２と内地３３により、中綿４を覆うように拡張部３を形成し、それを上側地（又は下側地）１１に縫製するようにしてもよい。なお、中綿４を覆う表面の生地３２と内地３３を一枚の生地を用いて形成してもよい。なお、布団カバー１００の縁の部分は縫製してもしなくてもよい。
また、例えば、図１４（ｃ）のように、一枚の上側地（又は下側地）１１により、拡張部３まで伸ばし、中綿４を覆って内地までを一枚の生地を用いて一体に形成してもよい。なお、布団カバー１００の縁の部分は縫製してもしなくてもよい。
【００２６】
（中綿）
中綿４は、適宜の量、厚さ、固さ等とすることができ、さらに、材料も綿に限らず、天然材料、機能綿（防ダニ綿、遠赤綿、マイナスイオン綿、羊毛、水で丸洗い可能な綿等）、ポリエステル等の化学材料、羽毛、ビーズ、スチロール、樹脂等、適宜の材料を用いることができる。中綿４は、使用する者の多種多様なニーズに応じて、いろいろな機能綿を用いて生産することが可能である。
また、中綿４を別袋の中に詰めた構成としてもよい。すなわち、中綿４を詰める袋をさらに備え、拡張部３の内部にその袋を装着する。この場合、中綿４の入った袋をそのまま装着・脱着することができるので、拡張部３に中綿４を詰める作業も一層簡単になることが想定され、また、中綿４を取り外して布団カバーの洗濯や洗浄をすることができる。
【００２７】
（キルト）
キルト（キルティング）６は、中綿４の固定のために必要に応じて適宜設けることができる。キルト６は、必要に応じて施されるものであり、例えば、多針キルト、多頭キルトや、他の適宜のキルトを採用することができる。また、キルト６の数、配置、位置、キルトを施す部分等は、キルティングエリアの大きさ、耐久性、保温性等を考慮して適宜定めることができる。なお、キルト（キルティング）６を省略しても良い。
【００２８】
（装着部）
装着部５は、結合することで布団本体１０を固定するためのものであり、布団本体１０の４辺のいずれかひとつ又は複数の端部付近において、上側地１及び下側地２の拡張部３の布団カバー中心側のひとつ又は複数の辺の位置に、上側地１及び下側地２、又は、両拡張部３にひとつ又は複数の組設けられる。このとき、拡張部３と上側地１又は下側地２との縫製の際に、装着部５を縫い付けてもよい。あるいは、装着部５を布団本体１０の４辺のいずれかひとつ又は複数の端部で、拡張部３の設けられていない位置の上側地１及び下側地２に設けてもよい。
装着部５は、例えば、紐、ボタン、紐の先端に設けたボタン、ホック、ファスナー、チャック、マジックテープ（登録商標）、他の結合部材等適宜の構成を用いることができる。
【００２９】
（開口部）
開口部７は、布団カバー１００の縁の全幅又は全長にわたって設けてもよいし、布団本体１０を出し入れできる程度の一部の幅又は長さ分設けてもよい。開口部７の手段としては、例えば、紐、ボタン、ホック、ファスナー、チャック、マジックテープ（登録商標）、他の結合部材等適宜の構成を用いることができる。
【００３０】
図１５に、開口部の説明図を示す。
図１５（ａ）は、拡張部３の縁に開口部７を設けたものを示し、この例では開閉のために紐が用いられている。図１５（ｂ）は、拡張部３が設けられていない上側地１と下側地２の縁に開口部を設けたものを示し、この例では開閉のためにボタンが用いられている。
【００３１】
（ヘム又はマチ）
ヘム（周囲、ふち、折り返し）又はマチを、布団カバー１００の周囲にわたって備えるようにしてもよい。ヘムとしては、例えば、シングルヘム、上下に設けられたダブルヘム（ダブルヘム・マチ付でイージー式等）、バイヤステープなどを使用することができる。なお、通常のマチや、中芯固綿等による立体マチを設けたり、マチには、たるみをなくすため薄い硬綿等をあててもよい。
【００３２】
４．布団カバーの実例
図１６に、布団カバーの実例の図を示す。
以下に、一例として、布団本体１０を一般仕様のシングルサイズ１５０×２１０ｃｍ、本実施の形態の布団カバー１００をダブルサイズ１９０×２１０ｃｍとした場合について説明する。なお、図では、説明上、拡張カバーを上側地１・下側地２に分けて示している。
【００３３】
（１）灰色（メッシュ）部分について
この部分は、羽毛充填部分（拡張部３）になる。マス数・重量等は仕様によって変更可能である（マチテープも使用可能）。
【００３４】
（２）点線四角部分について
投入する布団本体１０のサイズを表している。
【００３５】
（３）ループ又はホック等の装着部の位置について
図のＡ・Ｂ・Ｃがホック・ループ（装着部５）の取り付け位置になる。一般の布団本体仕様に合わせ、８か所固定にしている（取り付け個数は変更可能）。
・カバー充填部分のＡ・Ｂ・Ｃについて
布団本体１０の羽毛充填部分と布団カバー充填部分（拡張部３）を重ねることで、ダブルサイズの布団本体に限りなく近い風合い、羽毛嵩の膨らみを作る為に、ホック・ループ（装着部５）を充填部分（拡張部３）の図示のＡ・Ｂ・Ｃの位置に取り付けている。
・下側地Ｂ（上側地）について
図１７に、布団カバー内部及び装着部等の説明図（１）を示す。
この図は、装着部５としてホックを使用した例を示す。この部分の装着部５は上側地１・下側地２を合わせて、外周縫製の工程の際に取り付ける。その為、装着部５は上側地１と下側地２に挟まれる状態で縫い付けられている。
・上側地Ａ・下側地Ｃについて
図１８に、布団カバー内部及び装着部等の説明図（２）を示す。
この部分の装着部５は、カバーの構造上の為、上側地１・下側地２ともに布団本体１０と固定する。
【００３６】
（４）上側地・下側地Ｄについて
上側地１・下側地２を合わせ、外周縫製の際に布団本体挿入口（開口部７）を作る。挿入口（開口部７）の位置や、この口を塞ぐ為の素材は、仕様によって変更可能である。
【符号の説明】
【００３７】
１  上側地
２  下側地
３  拡張部
４  中綿
５  装着部
６  キルト
７  開口部
８  上内地
９  下内地
【図１】
2015146845.tif 000003
【図２】
2015146845.tif 000004
【図３】
2015146845.tif 000005
【図４】
2015146845.tif 000006
【図５】
2015146845.tif 000007
【図６】
2015146845.tif 000008
【図７】
2015146845.tif 000009
【図８】
2015146845.tif 000010
【図９】
2015146845.tif 000011
【図１０】
2015146845.tif 000012
【図１１】
2015146845.tif 000013
【図１２】
2015146845.tif 000014
【図１３】
2015146845.tif 000015
【図１４】
2015146845.tif 000016
【図１５】
2015146845.tif 000017
【図１６】
2015146845.tif 000018
【図１７】
2015146845.tif 000019
【図１８】
2015146845.tif 000020